(57)【要約】【課題】火災警報器の点検を簡単で且つ安全に実施できる火災警報器点検装置を提供する。【解決手段】１以上の火災警報器７−１〜７−４に接続された１以上の無線子機６−１〜６−４と、１以上の無線子機を介して１以上の火災警報器と無線通信を行う情報処理端末２とを備え、情報処理端末は、１以上の火災警報器の点検に必要な点検情報と１以上の無線子機の各々を識別するための無線子機ＩＤとを記憶するメモリ２４と、メモリ２４に記憶された点検情報に基づき無線子機ＩＤと点検要求情報とを無線子機に送信し、点検要求情報に応答して各々の火災警報器で点検した結果を表すための点検結果情報を受信する無線通信部２７とを有し、各々の無線子機は、情報処理端末から受信した無線子機ＩＤと自己のＩＤとが一致した場合に、自己に接続される火災警報器に点検要求情報を出力する。【選択図】図１
2007065888.tif 000002
【特許請求の範囲】
【請求項１】
１以上の火災警報器と、前記１以上の火災警報器に１対１対応で接続された１以上の無線子機と、前記１以上の無線子機を介して前記１以上の火災警報器と無線通信を行う情報処理端末とを備え、
前記情報処理端末は、前記１以上の火災警報器の点検に必要な点検情報と前記１以上の無線子機の各々を識別するための無線子機識別情報とを記憶する記憶手段と、
前記記憶手段に記憶された前記点検情報に基づき、前記無線子機識別情報と前記１以上の火災警報器の点検を要求するための点検要求情報とを前記無線子機に送信し、前記点検要求情報に応答して各々の火災警報器で点検した結果を表すための点検結果情報を受信する無線通信部とを有し、
前記各々の無線子機は、前記情報処理端末から受信した前記無線子機識別情報と自己の識別情報とが一致した場合に、自己に接続される前記火災警報器に前記点検要求情報を出力することを特徴とする火災警報器点検装置。
【請求項２】
各々の火災警報器は、
所定時間を計時するタイマと、
前記タイマで計時された所定時間毎に当該火災警報器の異常の有無の点検を行うことにより前記点検結果情報を得る点検判定部と、
前記点検判定部の前記点検結果情報を記憶する点検結果情報記憶手段と、
前記無線子機を介して前記情報処理端末から前記点検要求情報を受信したとき、前記点検結果情報記憶手段に記憶された前記点検結果情報を前記無線子機を介して前記情報処理端末に送信させる送信制御手段と、
を有することを特徴とする請求項１記載の火災警報器点検装置。
【請求項３】
前記１以上の無線子機は、スレーブからなる１以上のスレーブ無線機と、前記１以上のスレーブ無線機を管理するマスター無線機とからなり、
前記スレーブ無線機に接続される火災警報器は、
所定時間を計時する第１タイマと、
前記第１タイマで計時された所定時間毎に当該火災警報器の異常の有無の点検を行うことにより前記点検結果情報を出力する第１点検判定部と、
前記第１点検判定部の点検結果情報を前記マスター無線機を介して前記マスター無線機に接続される前記火災警報器に送信させる第１送信制御手段とを有し、
前記マスター無線機に接続される前記火災警報器は、
前記所定時間を計時する第２タイマと、
前記第２タイマで計時された前記所定時間毎に当該火災警報器の異常の有無の点検を行うことにより前記点検結果情報を出力する第２点検判定部と、
前記第２点検判定部の前記点検結果情報と前記スレーブ無線機に接続される火災警報器からの前記点検結果情報とを記憶する点検結果情報記憶手段と、
前記マスター無線機を介して前記情報処理端末から前記点検要求情報を受信したとき、前記点検結果情報記憶手段に記憶された前記点検結果情報を前記マスター無線機を介して前記情報処理端末に送信させる第２送信制御手段と、
を有することを特徴とする請求項１記載の火災警報器点検装置。
【請求項４】
前記１以上の無線子機は、スレーブからなる１以上のスレーブ無線機と、前記１以上のスレーブ無線機を管理するマスター無線機とからなり、
前記スレーブ無線機に接続される火災警報器は、
所定時間を計時する第１タイマと、
前記第１タイマで計時された所定時間毎に当該火災警報器の異常の有無の点検を行うことにより前記点検結果情報を出力する第１点検判定部と、
前記第１点検判定部の点検結果情報を前記マスター無線機に送信させる第１送信制御手段とを有し、
前記マスター無線機に接続される前記火災警報器は、
前記所定時間を計時する第２タイマと、
前記第２タイマで計時された前記所定時間毎に当該火災警報器の異常の有無の点検を行うことにより前記点検結果情報を出力する第２点検判定部とを有し、
前記マスター無線機は、
前記第２点検判定部の前記点検結果情報と前記スレーブ無線機に接続される火災警報器からの前記点検結果情報とを記憶する点検結果情報記憶手段と、
前記情報処理端末から前記点検要求情報を受信したとき、前記点検結果情報記憶手段に記憶された前記点検結果情報を前記情報処理端末に送信させる送信制御手段と、
を有することを特徴とする請求項１記載の火災警報器点検装置。
【請求項５】
前記各々の火災警報器は、
電池の電圧を検出する電圧検出部と、
火災を検知する火災検知部と、
前記電圧検出部で検出された電池の電圧と前記火災検知部を擬似信号により動作させたときの該火災検知部の出力との少なくとも一方の情報に基づいて当該火災警報器の点検を行うことにより前記点検結果情報を前記無線子機に出力する点検判定部と、
を有することを特徴とする請求項１記載の火災警報器点検装置。
【請求項６】
前記情報処理端末の記憶手段は、
前記１以上の火災警報器の点検に必要な点検情報とメータの検針を行うために必要な検針情報とを記憶することを特徴とする請求項１乃至請求項５のいずれか１項記載の火災警報器点検装置。
【発明の詳細な説明】
【技術分野】
【０００１】
本発明は、火災警報器の異常の有無を点検する火災警報器点検装置に関し、特に、屋外から無線で屋内の火災警報器の点検を行うものである。
【背景技術】
【０００２】
火災警報器の設置及び点検の細則は、消防法及び関連法規で規定されているが、大規模設備と小規模設備とでは取り扱いが異なっている。即ち、デパートやビルなどの大規模設備では、一旦、火災が発生すると、その被害は人命を含め莫大なものになることから、火災警報器の点検に関する規定も厳格になっている。
【０００３】
一方、住宅に代表される小規模設備では、今まで火災警報器の設置義務は、課せられていなかった。しかし、新建材や合成繊維が近年多用されてきたことから、火災に伴って発生する有毒ガスによる死者が増加している。この増加を抑制する目的で、住宅にも火災警報器の設置義務を課す法制化がなされた。このため、低価格で専門知識や技術が無くても、取付や取り扱いができる住宅用の火災警報器が開発されている。
【０００４】
当該火災警報器は、壁面や天井に取付け電源工事や信号線工事をしなくてもバッテリーで動作し、火災検知時には本体でブザーを鳴動させたり、合成音声で火災を知らせる機能を有している。火災警報器を実際に住宅に設置する場合には、火元となる可能性がある場所や煙の通り道となる廊下、階段に複数設置することになる。
【０００５】
このように設置された火災警報器は、普段では待機状態であるため、異常（故障や電池切れ）を発見することができない。このため、火災警報器に具備されているスイッチ等を操作して、居住者自身が火災警報器の点検（動作テスト）を行う。
【０００６】
また、火災警報器の点検方法として、例えば特許文献１が知られている。この特許文献１は、少なくとも火災検知用の温度センサを備えた火災警報器の点検方法において、温度センサと並列に接続された火災警報器点検用のリレーに外部磁界を印加してリレーを導通し、火災警報器を擬似的に導通させるものである。
【０００７】
これによれば、リレー周囲に外部磁界を印加してリレーを作動させることにより火災警報器の点検作業を行うことができる。
【特許文献１】特開２０００−７６５６６号公報
【発明の開示】
【発明が解決しようとする課題】
【０００８】
しかしながら、（１）火災警報器の点検は、居住者自身が行なわなけらばならないことから、確実に実施される保証はない。このため、火災警報器の本来の性能・機能を損ねた状態で放置され、実際の火災発生時には、火災警報器が機能しない可能性がある。
【０００９】
また、（２）火災警報器の設置基準が天井や壁面の天井近傍と規定されている。このため、脚立等の上で、火災警報器の点検を実施することになるので、点検作業が不安全になる。その結果、最悪、居住者が落下して怪我をすることがある。
【００１０】
さらに、特許文献１に記載された火災警報器の点検方法にあっても、上記（１）、（２）に述べたように課題を有していた。
【００１１】
本発明の課題は、火災警報器の点検を簡単で且つ安全に実施できる火災警報器点検装置を提供することにある。
【課題を解決するための手段】
【００１２】
本発明は、前記課題を解決するために以下の手段を採用した。本発明は、１以上の火災警報器と、前記１以上の火災警報器に１対１対応で接続された１以上の無線子機と、前記１以上の無線子機を介して前記１以上の火災警報器と無線通信を行う情報処理端末とを備え、前記情報処理端末は、前記１以上の火災警報器の点検に必要な点検情報と前記１以上の無線子機の各々を識別するための無線子機識別情報とを記憶する記憶手段と、前記記憶手段に記憶された前記点検情報に基づき、前記無線子機識別情報と前記１以上の火災警報器の点検を要求するための点検要求情報とを前記無線子機に送信し、前記点検要求情報に応答して各々の火災警報器で点検した結果を表すための点検結果情報を受信する無線通信部とを有し、前記各々の無線子機は、前記情報処理端末から受信した前記無線子機識別情報と自己の識別情報とが一致した場合に、自己に接続される前記火災警報器に前記点検要求情報を出力することを特徴とする。
【発明の効果】
【００１３】
本発明によれば、情報処理端末と１以上の火災警報器とを１以上の無線子機を介して無線で接続したので、各々の火災警報器の点検を無線で簡単に且つ安全に実施できる。また、点検を専門業者に委託する場合、屋外から火災警報器の点検が行え、プライバシーが保てる。
【発明を実施するための最良の形態】
【００１４】
以下、本発明の実施例に係る火災警報器点検装置を図面を参照しながら詳細に説明する。
【実施例１】
【００１５】
実施例１の火災警報器点検装置は、無線を用いて屋外より火災警報器の点検を行うことにより、点検時に検針員が屋内に入ることなく、プライバシーを保てるようにしたものである。また、検針員がガスメータ５の検針業務時に併せて、火災警報器の点検を行うことにより、低コストで点検サービスを提供するものである。  
図１は本発明の実施例１に係る火災警報器点検装置を示す構成ブロック図である。図１に示すように、本発明の実施例１に係る火災警報器点検装置は、ハンドヘルドコンピュータ２（以下、ＨＨＣと略称する。）、プリンタ３、ガスメータ５、無線子機６−１〜６−４、火災警報器７−１〜７−４とを備えている。
【００１６】
ＨＨＣ２は、本発明の情報処理端末に対応し、携帯可能であり、ガスメータ５の検針に必要な検針情報に基づいてガスメータ５の検針を行うとともに、火災警報器７−１〜７−４の点検に必要な点検情報に基づいて無線子機６−１〜６−４を介して火災警報器７−１〜７−４と無線通信を行うことにより、火災警報器の点検を行う。
【００１７】
ＨＨＣ２は、図２に示すように、インターフェース（Ｉ／Ｆ）２３、メモリ２４、操作部２５、表示部２６、無線親機２７、これらの各部の制御を行うＣＰＵ２２を有している。Ｉ／Ｆ２３は、ガス事業者のホスト計算機（ホストコンピュータ）との間で情報の入出力を司る。メモリ２４は、検針／点検前に、ホスト計算機からダウンロードした、ガスメータ５の検針に必要な検針情報と火災警報器点検の有無、設置数、設置年月、前回点検結果等の火災警報器の点検に必要な需要家情報（本発明の点検情報に対応）とを記憶する。また、メモリ２４は、ガスメータ５の検針で得られたメータの指示値を記憶するとともに、火災警報器の点検で得られた点検結果情報を記憶する。
【００１８】
なお、設置数の情報には、屋内の各所に配置された火災警報器の数（この例では、４個）のほかに、この火災警報器の数に対応した無線子機６−１〜６−４の各々を識別するための無線子機識別情報（以下、無線子機ＩＤと称する。）を含む。
【００１９】
操作部２５は、タッチ入力により各種の情報を入力する。表示部２６は、メモリ２４に記憶された情報を表示する。無線親機２７は、メモリ２４に記憶された点検情報に基づき、無線子機ＩＤと火災警報器の点検を要求するための点検要求情報とを無線子機に送信し、点検要求情報に応答して各々の火災警報器で点検した結果を表すための点検結果情報を受信する。ＣＰＵ２２は、受信した点検結果情報をメモリ２４に記憶させる。
【００２０】
HHC２には、プリンタ３が接続され、プリンタ３は、検針／点検後に、検針結果情報と点検結果情報とを検針／点検お知らせ票４として印字する。検針／点検お知らせ票４は、需要家宅に投函される。
【００２１】
また、HHC２は、検針／点検後に、メモリ２４に記憶された点検結果情報をホスト計算機にアップロードする。ホスト計算機側では、点検結果情報に基づき、異常がある場合には保守・サービス部門へ通知することにより修理または交換を行う。
【００２２】
図４はＨＨＣ２をホスト計算機に接続した状態を示す図である。図４に示すように、ＨＨＣ２は、Ｉ／Ｆ装置３１を介してクライアント端末３２に接続され、クライアント端末３２は通信ネットワーク３３を介してホスト計算機３４に接続される。検針／点検前にホスト計算機３４からＨＨＣ２にダウンロードされる主な情報は、需要家番号、需要家名、住所、ガスメータ５の計器番号、検針順序、前回指示数、前回使用量及び前回使用金額等の検針情報と、火災警報器の点検の有無、設置数、設置年月、前回点検結果等の点検情報である。検針／点検後にＨＨＣ２からホスト計算機３４にアップロードされる主な情報は、需要家番号、今回指示数、今回使用量、点検結果情報である。
【００２３】
各々の無線子機６−１〜６−４は、図示していないが、ＣＰＵとメモリとを有し、ＣＰＵは、ＨＨＣ２から受信した無線子機ＩＤとメモリに記憶された自己のＩＤとが一致した場合に、点検要求情報を自己に接続される火災警報器に出力する。
【００２４】
図３は本発明の実施例１に係る火災警報器点検装置内の火災警報器の構成を示すブロック図である。火災警報器は、電池２０、煙センサ１３、判定部１４、擬似信号発生部１５、電圧検出部１６、Ｉ／Ｆ１７、メモリ１８、タイマ１９、各部の制御を行うＣＰＵ１２とを有している。
【００２５】
煙センサ１３は火災の発生に伴う煙を検出する。擬似信号発生部１５は、擬似信号を発生し、この擬似信号により煙センサ１３を動作させることにより煙センサ１３からの出力をＣＰＵ１２に出力する。電圧検出部１６は、電池２０の電圧を検出してＣＰＵ１２に出力する。
【００２６】
判定部１４は、本発明の点検判定部に対応し、煙センサ１３からの出力が基準値内にあるか否かによって、火災警報器の異常の有無の点検を行い点検結果を表すための点検結果情報を出力する。また、判定部１４は、電圧検出部１６で検出された電池２０の電圧が基準電圧以下かどうかによって、火災警報器の異常の有無の点検を行い点検結果情報を出力する。また、判定部１４は、通信機能の異常の有無を判定することにより点検結果情報を出力しても良い。
【００２７】
メモリ１８は、判定部１４からの点検結果情報を記憶する。Ｉ／Ｆ１７は、無線子機との間の情報の入出力を司る。タイマ１９は、所定時間を計時する。
【００２８】
次に、本発明の実施例１に係る火災警報器点検装置の動作を図５のフローチャートを用いて詳細に説明する。
【００２９】
まず、HHC２は、ホスト計算機３４から検針／点検前の検針情報と点検情報とをダウンロードする（ステップＳ１１）。そして、検針員は、ＨＨＣ２のメモリ２４に記憶された検針順序通りに、需要家を巡回する。検針員が検針対象地域に到着し、ＨＨＣ２の電源を投入する。ＣＰＵ２２は、メモリ２４に記憶された検針対象のメータの検針情報を表示部２６に表示させ、この検針情報に基づいて検針員は、操作部２５によりガスメータ５の今回指示数を入力する（ステップＳ１３）。すると、ＣＰＵ２２は、今回指示数と前回指示数とから今回使用量を算出してメモリ２４に記憶する。これにより、検針作業が終了する。
【００３０】
次に、ガスメータ５の指示数が入力された後、ＣＰＵ２２は、メモリ２４から点検情報を読み出して表示部２６に表示させ、この点検情報（例えば、点検の有無など）に基づいて当該需要家の火災警報器が点検の対象かどうかを判定する（ステップＳ１５）。
【００３１】
点検情報が火災警報器の点検の対象である場合には、ＨＨＣ２は、無線子機６−１に対応する無線子機ＩＤ１と点検要求情報とを無線親機２７から無線で無線子機６−１に送信する（ステップＳ１７）。
【００３２】
一方、無線子機６−１では、無線親機２７から無線子機ＩＤ１と点検要求情報とを受信し、点検要求情報を火災警報器７‐１に出力することにより点検を要求する。
【００３３】
点検要求を受けた火災警報器７‐１では、電圧検出部１６が電池２０の電圧を検出する。判定部１４は、電圧検出部１６で検出された電池２０の電圧が基準電圧以下かどうかによって、火災警報器の異常の有無の点検を行い点検結果情報を得る（ステップＳ１９）。判定部１４は、煙センサ１３からの出力が基準値内にあるか否かによって、火災警報器の異常の有無の点検を行い点検結果情報を得る。ＣＰＵ１２は、判定部１４からの点検結果情報（点検結果データ）をメモリ１８に記憶させる（ステップＳ２１）。
【００３４】
以上の処理が終了すると、ＣＰＵ１２は、Ｉ／Ｆ１７及び無線子機６−１を介してＨＨＣ２に点検結果情報を送信する（ステップＳ２３）。
【００３５】
以上では、火災警報器６−１のみの点検を説明したが、火災警報器６−２〜６−４の各々についても、上記ステップＳ１７〜Ｓ２３の動作を繰り返し行うことで、全ての火災警報器の点検を行うことができる。
【００３６】
このように実施例１に係る火災警報器点検装置によれば、ＨＨＣ２と１以上の火災警報器とを１以上の無線子機を介して無線で接続したので、各々の火災警報器の点検を無線で簡単に且つ安全に実施できる。また、屋外から火災警報器の点検が行え、プライバシーが保てる。また、検針員がガスメータ５の検針業務時に併せて、火災警報器の点検を行うことにより、低コストで点検サービスを提供できる。また、検針用のHHCに点検に必要な情報を併せ持たせることから新たな設備が不要となる。
【実施例２】
【００３７】
次に、本発明の実施例２に係る火災警報器点検装置を説明する。実施例１では、火災警報器７−１〜７−４は、ＨＨＣ２から点検要求を受けた後、電池電圧のチェック、煙センサのチェックを行っている。
【００３８】
これに対して、実施例２では、点検判定部が、タイマ１９により計時される所定時間毎に、即ち定期的（例えば１回／日）に火災警報器の点検を行うことにより点検結果情報を得て、メモリ１８がその点検結果情報を記憶する。ＣＰＵ１２が、無線子機を介してＨＨＣ２から点検要求情報を受信したとき、メモリ１８に記憶された点検結果情報を無線子機を介してＨＨＣ２に送信させる。
【００３９】
次に、本発明の実施例２に係る火災警報器点検装置の動作を図６のフローチャートを用いて詳細に説明する。
【００４０】
まず、各々の火災警報器７−１〜７−４において、タイマ１９が時間の計測を開始すると、ＣＰＵ１２は、タイマー１９により計時された時間が一定時間を経過したかどうかを判定する（ステップＳ３１）。一定時間が経過した場合には、判定部１４は、実施例１のステップＳ１９で説明したようなやり方で、電池２０の電圧や煙センサ１３の異常の有無を点検することにより点検結果情報を得る（ステップＳ３３）。そして、ＣＰＵ１２は、判定部１４の点検結果情報をメモリ１８に記憶させる（ステップＳ３５）。
【００４１】
次に、ＣＰＵ１２は、ＨＨＣ２から点検要求情報を受信したかどうかを判定し（ステップＳ３７）、点検要求情報を受信した場合には、メモリ１８から点検結果情報を読み出して、無線子機を介してＨＨＣ２に送信する（ステップＳ３９）。
【００４２】
即ち、ＨＨＣ２の点検要求に応答して、メモリ１８内の点検結果情報を即座にＨＨＣ２に返送することができるので、応答時間を短縮できる。また、点検回数も１回／月の検針時より定期的に点検することから、より信頼性の高いサービスが提供できる。
【実施例３】
【００４３】
次に、本発明の実施例３に係る火災警報器点検装置を説明する。無線でデータ伝送を行う場合には、無線親機〜無線子機間のリンク確立後にデータ伝送を行うことになる。このため、実施例１や実施例２のように、ＨＨＣ２から個々の無線子機に点検要求を行うと、その都度、オーバーヘッド時間を要し全体の時間が長くなる。
【００４４】
そこで、実施例３では、ＨＨＣ２からの一回の点検要求に対して、火災警報器６−１〜６０−４の全ての点検結果情報を一括してＨＨＣ２に返送するようにしたものである。
【００４５】
このため、図１に示す無線子機６−１〜６−４の内、例えば、無線子機６−２〜６−４がスレーブからなるスレーブ無線機とし、無線子機６−１がスレーブ無線機である無線子機６−２〜６−４を管理するマスター無線機とする。
【００４６】
スレーブ無線機６−２〜６−４に接続される火災警報器７−２〜７−４は、タイマ１９で計時された所定時間毎に当該火災警報器の異常の有無の点検を行うことにより点検結果情報を出力する判定部１４と、判定部１４の点検結果情報をマスター無線機６−１を介してマスター無線機６−１に接続される火災警報器７−１に送信させる第１送信制御手段としてのＣＰＵ１２を有している。
【００４７】
マスター無線機６−１に接続される火災警報器７−１は、タイマ１９で計時された所定時間毎に当該火災警報器の異常の有無の点検を行うことにより点検結果情報を出力する判定部１４と、判定部１４の点検結果情報とスレーブ無線機６−２〜６−４に接続される火災警報器７−２〜７−４からの点検結果情報とを記憶するメモリ１８と、マスター無線機６−１を介してＨＨＣ２から点検要求情報を受信したとき、メモリ１８に記憶された全ての点検結果情報を一括してマスター無線機６−１を介してＨＨＣ２に送信させる第２送信制御手段としてのＣＰＵ１２を有している。なお、マスター、スレーブの区別は切り替えスイッチ（図中不示）または伝送にて設定を行なう。
【００４８】
次に、本発明の実施例３に係る火災警報器点検装置の動作を図７及び図８のフローチャートを用いて詳細に説明する。図７は本発明の実施例３に係る火災警報器７−２〜７−４の処理を示すフローチャートである。図８は本発明の実施例３に係る火災警報器７−１の処理を示すフローチャートである。
【００４９】
まず、各々の火災警報器７−２〜７−４の処理を図７を参照しながら説明する。タイマ１９が時間の計測を開始すると、ＣＰＵ１２は、タイマー１９により計時された時間が一定時間を経過したかどうかを判定する（ステップＳ５１）。一定時間が経過した場合には、判定部１４は、電池２０の電圧や煙センサ１３の異常の有無を点検することにより点検結果情報を得る（ステップＳ５３）。そして、ＣＰＵ１２は、判定部１４の点検結果情報をメモリ１８に記憶させる（ステップＳ５５）。
【００５０】
次に、ＣＰＵ１２は、メモリ１８から点検結果情報を読み出して、自己の無線子機を介して無線子機６−１に送信し（ステップＳ５７）、無線子機６−１は、火災警報器７−１に点検結果情報を出力する。
【００５１】
次に、火災警報器７−１の処理を図８を参照しながら説明する。タイマ１９が時間の計測を開始すると、ＣＰＵ１２は、タイマー１９により計時された時間が一定時間を経過したかどうかを判定する（ステップＳ６１）。一定時間が経過していない場合には、ステップＳ６７に進む。
【００５２】
一定時間が経過した場合には、判定部１４は、電池２０の電圧や煙センサ１３の異常の有無を点検することにより点検結果情報を得る（ステップＳ６３）。そして、ＣＰＵ１２は、判定部１４の点検結果情報をメモリ１８に記憶させる（ステップＳ６５）。
【００５３】
ＣＰＵ１２は、火災警報器７−２〜７−４から点検結果情報を受信したかどうかを判定し（ステップＳ６７）、点検結果情報を受信しない場合には、ステップＳ７１に進む。
【００５４】
点検結果情報を受信した場合には、ＣＰＵ１２は、受信した点検結果情報をメモリ１８に記憶させる（ステップＳ６９）。
【００５５】
次に、ＣＰＵ１２は、ＨＨＣ２から点検要求情報を受信したかどうかを判定し（ステップＳ７１）、点検要求情報を受信しない場合には、ステップＳ７３の後段に進む。
【００５６】
点検要求情報を受信した場合には、メモリ１８から火災警報器７−１〜７−４の全ての点検結果情報を読み出し、全ての点検結果情報を一括して、無線子機６−１を介してＨＨＣ２に送信する（ステップＳ７３）。
【００５７】
即ち、ＨＨＣからの１回の点検要求（アクセス）で一括して１以上の火災警報器の点検を行うことができるので、さらに点検時間を短縮できる。
【００５８】
なお、実施例１乃至実施例３では、点検結果情報を火災警報器７−１〜７−４のメモリ１８に格納しているが、例えば、点検結果情報を無線子機６−１〜６−４のメモリに格納しても良く、この場合にも同様な効果が得られる。
【００５９】
また、無線子機６−１がマスターで、無線子機６−２〜６−４がスレーブである場合に、無線子機６−２〜６−４は、火災警報器７−２〜７−４からの点検結果情報を無線子機６−１に送信し、無線子機６−１は、自己の火災警報器６−１の点検結果情報と無線子機６−２〜６−４からの点検結果情報をメモリに記憶し、ＨＨＣ２から点検要求情報を受信したときに、メモリから読み出した点検結果情報を一括してＨＨＣ２に転送しても良い。
【産業上の利用可能性】
【００６０】
本発明は、メータ検針に用いる検針装置に追加した火災警報器点検システムとして適用可能である。
【図面の簡単な説明】
【００６１】
【図１】本発明の実施例１に係る火災警報器点検装置の構成を示すブロック図である。
【図２】本発明の実施例１に係る火災警報器点検装置内のＨＨＣの構成を示すブロック図である。
【図３】本発明の実施例１に係る火災警報器点検装置内の火災警報器の構成を示すブロック図である。
【図４】ＨＨＣをホスト計算機に接続した状態を示すブロック図である。
【図５】本発明の実施例１に係る火災警報器点検装置の処理を示すフローチャートである。
【図６】本発明の実施例２に係る火災警報器の処理を示すフローチャートである。
【図７】本発明の実施例３に係る火災警報器７−２〜７−４の処理を示すフローチャートである。
【図８】本発明の実施例３に係る火災警報器７−１の処理を示すフローチャートである。
【符号の説明】
【００６２】
２  HHC    
３  プリンタ
４  検針／点検お知らせ票    
５  ガスメータ
６−１〜６−４  無線子機
７−１〜７−４  火災警報器    
１２，２２  ＣＰＵ
１３  煙センサ
１４  判定部
１５  擬似信号発生部
１６  電圧検出部
１７，２３  Ｉ／Ｆ（インターフェース）
１８，２４  メモリ
１９  タイマ
２０  電池
２５  操作部
２６  表示部
２７  無線親機
３１  Ｉ／Ｆ装置
３２  クライアント端末
３３  通信ネットワーク
３４  ホスト計算機
【図１】
2007065888.tif 000003
【図２】
2007065888.tif 000004
【図３】
2007065888.tif 000005
【図４】
2007065888.tif 000006
【図５】
2007065888.tif 000007
【図６】
2007065888.tif 000008
【図７】
2007065888.tif 000009
【図８】
2007065888.tif 000010